(57)【要約】【課題】封印としての機能を十分に果たしつつ、基板ケースの再利用を容易に行うことを可能とする。【解決手段】第一の筺体２０と第二の筺体３０とを互いに対向させて連結することによって、第一の筺体２０と第二の筺体３０との間に収容空間１３を形成する物品収納容器１０を、第一の筺体２０側に設けられた第一の係止部１１３と、第二の筺体３０に形成された貫通孔を通して第二の筺体３０の外部から挿入され、第一の係止部１１３に係合される封印部材１２０と、を備え、封印部材１２０は、第一の係止部１１３に係合可能な第二の係止部１２２と、第二の係止部１２２を第一の係止部１１３に係合させた状態で、第二の筺体３０の外部に露出し、封印部材１２０を取り外すときに外部から操作される操作部１２３と、操作部１２３と第二の係止部１２２とを連結し、操作部１２３および第二の係止部１２２よりも低強度に形成された連結部１２５と、を備えるものとした。【選択図】図５
2014188312.tif 000002
【特許請求の範囲】
【請求項１】
第一の筺体と第二の筺体とを互いに対向させて連結することによって、前記第一の筺体と前記第二の筺体との間に収容空間を形成する物品収納容器であって、
前記第一の筺体側に設けられた第一の係止部と、
前記第二の筺体に形成された貫通孔を通して該第二の筺体の外部から挿入され、前記第一の係止部に係合される封印部材と、を備え、
前記封印部材は、
前記第一の係止部に係合可能な第二の係止部と、
前記第二の係止部を前記第一の係止部に係合させた状態で、前記第二の筺体の外部に露出し、前記封印部材を取り外すときに外部から操作される操作部と、
前記操作部と前記第二の係止部とを連結し、前記操作部および前記第二の係止部よりも低強度に形成された連結部と、を備えていることを特徴とする物品収納容器。
【請求項２】
前記第一の筺体に開口部が形成され、
前記第一の筺体の外部から、前記第一の係止部を有した相手側封印部材を前記開口部に挿入することによって、前記第一の筺体内に前記第一の係止部が設けられることを特徴とする請求項１に記載の物品収納容器。
【請求項３】
封印部材は、前記操作部を操作することによって前記封印部材を取り外す時に、前記第一の係止部と前記第二の係止部との係止状態を維持したまま、前記連結部が破断することを特徴とする請求項１または２に記載の物品収納容器。
【請求項４】
第一の筺体と第二の筺体とを互いに対向させて連結することによって、前記第一の筺体と前記第二の筺体との間に収容空間を形成する物品収納容器に装着される封印部材であって、
前記第二の筺体を貫通して前記第一の筺体側に設けられた第一の係止部に係止可能な第二の係止部と、
前記第二の筺体の外部に露出する操作部と、
前記第二の係止部と前記操作部とを連結し、前記操作部および前記第二の係止部よりも低強度に形成された連結部と、を備えていることを特徴とする封印部材。
【発明の詳細な説明】
【技術分野】
【０００１】
本発明は、制御基板等を収容する物品収納容器、およびその封印部材に関する。
【背景技術】
【０００２】
例えば遊戯具や、各種競技に用いる装置、その他のコンピュータ装置において、不正改造の防止等のために、ユーザ側で制御基板を改変するのを許諾しない場合がある。このような場合、制御基板をケースに収容するとともに、ケースの開閉部に封印を施し、ケースを開閉するには封印を解除しなければならないようにすることがある。
【０００３】
特許文献１には、このような封印として、基板ケースの底体と蓋体とに跨るように封印シールを貼着する構成が開示されている。この封印シールは、いわゆるＩＣ（Integrated Circuit）タグであり、基板ケースを開くために切断されると、ＩＣチップの情報の読み取りが不可能になり、封印が解除されたことを電気的に発見できる。また、封印シールに記載された通し番号の部分が破壊されて、封印が解除されたことを視覚的にも発見できるようになっている。
【先行技術文献】
【特許文献】
【０００４】
【特許文献１】特開２０１１−２３９８０５号公報
【発明の概要】
【発明が解決しようとする課題】
【０００５】
しかしながら、特許文献１に記載されたような封印シールにおいては、基板ケースを再利用する場合に、封印シールを剥がすのに手間がかかったり、封印シールを剥がした部分に接着剤や封印シールの一部が残ってしまうことがある。残存した接着剤や封印シールの一部を除去するためにスクレーパ等で擦ると、その作業にも手間がかかるうえ、基板ケースに傷がついてしまうこともある。このようなことから、従来の封印シールを用いた封印構造においては、基板ケースの再利用が困難であるという問題があった。
そこでなされた本発明の目的は、封印としての機能を十分に果たしつつ、再利用を容易に行うことを可能とする物品収納容器、封印部材を提供することである。
【課題を解決するための手段】
【０００６】
本発明は、上記課題を解決するため、以下の手段を採用する。
すなわち、本発明は、第一の筺体と第二の筺体とを互いに対向させて連結することによって、前記第一の筺体と前記第二の筺体との間に収容空間を形成する物品収納容器であって、前記第一の筺体側に設けられた第一の係止部と、前記第二の筺体に形成された貫通孔を通して該第二の筺体の外部から挿入され、前記第一の係止部に係合される封印部材と、を備え、前記封印部材は、前記第一の係止部に係合可能な第二の係止部と、前記第二の係止部を前記第一の係止部に係合させた状態で、前記第二の筺体の外部に露出し、前記封印部材を取り外すときに外部から操作される操作部と、前記操作部と前記第二の係止部とを連結し、前記操作部および前記第二の係止部よりも低強度に形成された連結部と、を備えていることを特徴とする。
【０００７】
また、本発明は、第一の筺体と第二の筺体とを互いに対向させて連結することによって、前記第一の筺体と前記第二の筺体との間に収容空間を形成する物品収納容器に装着される封印部材であって、前記第二の筺体を貫通して前記第一の筺体側に設けられた第一の係止部に係止可能な第二の係止部と、前記第二の筺体の外部に露出する操作部と、前記第二の係止部と前記操作部とを連結し、前記操作部および前記第二の係止部よりも低強度に形成された連結部と、を備えていることを特徴とする。
【発明の効果】
【０００８】
本発明によれば、封印を解除するときには、連結部が破断するので、封印を解除したことで容易に視認することができる。また、封印部材は、操作部をひねる等して連結部を破断するのみで封印を解除することができ、封印を解除した後には、筺体表面において封印部材があった部分に付着物等が残ることもない。したがって、封印としての機能を十分に果たしつつ、物品収納容器の再利用を容易に行うことができる。
【図面の簡単な説明】
【０００９】
【図１】本実施形態に係る封印部材の最小構成を示す図である。
【図２】本実施形態に係る物品収納容器の最小構成を示す図である。
【図３】本実施形態に係る基板ケースの構成を示す斜視展開図である。
【図４】本実施形態に係る基板ケースの側断面図である。
【図５】図４に示した基板ケースの右側断面図である。
【図６】本実施形態に係る封印具による封印を解除した状態を示す斜視図である。
【図７】本実施形態に係る封印具の構成を示す斜視図である。
【図８】本実施形態に係る封印具による封印状態を示す斜視図である。
【図９】本実施形態に係る基板ケースの変形例を示す側断面図である。
【発明を実施するための形態】
【００１０】
以下、添付図面を参照して、本発明による物品収納容器、封印部材を実施するための形態を説明する。しかし、本発明はこれらの実施形態のみに限定されるものではない。
【００１１】
［第１の実施形態］
図１は、本実施形態による封印部材の最小構成を示す図である。
この図が示すように、封印部材１２０は、第一の筺体２０と第二の筺体３０とを互いに対向させて連結することによって、第一の筺体２０と第二の筺体３０との間に収容空間１３を形成する物品収納容器１０に装着されるものであって、第二の筺体３０を貫通して第一の筺体２０側に設けられた第一の係止部１１３に係止可能な第二の係止部１２２と、第二の筺体３０の外部に露出する操作部１２３と、第二の係止部１２２と操作部１２３とを連結し、操作部１２３および第二の係止部１２２よりも低強度に形成された連結部１２５と、を少なくとも備えていればよい。
【００１２】
この封印部材１２０においては、封印を解除するときには、連結部１２５が破断するので、封印を解除したことで容易に視認することができる。また、封印部材１２０は、操作部１２３をひねる等して連結部１２５を破断するのみで封印を解除することができ、封印を解除した後には、封印部材１２０があった部分に付着物等が残ることもない。したがって、封印としての機能を十分に果たしつつ、物品収納容器の再利用を容易に行うことができる。
【００１３】
［第２の実施形態］
図２は、本実施形態による物品収納容器の最小構成を示す図である。
この図が示すように、物品収納容器１０は、第一の筺体２０と第二の筺体３０とを互いに対向させて連結することによって、第一の筺体２０と第二の筺体３０との間に収容空間１３を形成するものであって、第一の筺体２０側に設けられた第一の係止部１１３と、第二の筺体３０に形成された貫通孔を通して第二の筺体３０の外部から挿入され、第一の係止部１１３に係合される封印部材１２０と、を備え、封印部材１２０は、第一の係止部１１３に係合可能な第二の係止部１２２と、第二の係止部１２２を第一の係止部１１３に係合させた状態で、第二の筺体３０の外部に露出し、封印部材１２０を取り外すときに外部から操作される操作部１２３と、操作部１２３と第二の係止部１２２とを連結し、操作部１２３および第二の係止部１２２よりも低強度に形成された連結部１２５と、を少なくとも備えていればよい。
【００１４】
この物品収納容器１０においては、封印を解除するときには、連結部１２５が破断するので、封印を解除したことで容易に視認することができる。また、封印部材１２０は、操作部１２３をひねる等して連結部１２５を破断するのみで封印を解除することができ、封印を解除した後には、第一の筺体２０表面において封印部材１２０があった部分に付着物等が残ることもない。したがって、封印としての機能を十分に果たしつつ、物品収納容器１０の再利用を容易に行うことができる。
【００１５】
［第３の実施形態］
図３は本実施形態に係る基板ケースの構成を示す斜視展開図であり、図４は、本実施形態に係る基板ケースの側断面図、図５は、図４に示した基板ケースの右側断面図、図６は、本実施形態に係る封印具による封印を解除した状態を示す斜視図である。さらに、図７は、本実施形態に係る封印具の構成を示す斜視図、図８は、本実施形態に係る封印具による封印状態を示す斜視図である。なお、以下の説明においては、本実施形態においては、説明の便宜のために基板ケースに上下方向を設定しているが、実際の基板ケースの使用方向や使用姿勢を限定するものではない。
【００１６】
図３〜図６に示すように、物品収納容器の一例としての基板ケース１０は、第一の筺体の一例としての下部ケース２０と、第二の筺体の一例としての上部ケース３０と、を備えている。
下部ケース２０は、例えば平面視矩形の底板２１と、底板２１の外周部から底板２１の上面２１ａに直交する上方に立ち上がる側壁部２２と、を備えた有底状をなしている。
上部ケース３０は、底板２１に対向する天板３１と、天板３１の外周部から天板３１の下面３１ａに直交する方向である下方に垂下する側壁部３２と、を備えた形状をなしている。
これら下部ケース２０と上部ケース３０とは、側壁部２２の上端面２２ａと側壁部３２の下端面３２ａとを全周で突き合わせた状態で対向配置され、これによって、その内部に回路基板を収容する収容空間１３が形成される。そして、下部ケース２０と上部ケース３０とは、例えばその四隅において、ビス１１等によって締結されることによって、一体化されている。
【００１７】
下部ケース２０の底板２１には、上方に突出する下部封印取付部２３が一体に形成されている。この下部封印取付部２３は、底板２１から上方に延びるよう形成された断面長方形状の筒状部２３ａと、筒状部２３ａの上端部を塞ぐプレート部２３ｂと、から形成されている。この筒状部２３ａとプレート部２３ｂとにより、下部ケース２０の底板２１の下面２１ｂ側には、断面長方形状の凹部２４が形成されている。
また、プレート部２３ｂには、開口部の一例としてのスロット２５が形成されている。スロット２５は、長方形状で、例えば、その長辺方向を、底板２１の短辺２１ｃと平行にして形成されている。
【００１８】
上部ケース３０の天板３１には、下方に突出する上部封印取付部３３が形成されている。この上部封印取付部３３は、天板３１から下方に延びる円筒状部３３ａと、円筒状部３３ａの下端部を塞ぐプレート部３３ｂと、から形成されている。この円筒状部３３ａとプレート部３３ｂとにより、上部ケース３０の天板３１の上面３１ｂ側には、断面円形の凹部３４が形成されている。
また、プレート部３３ｂには、貫通孔３５が形成されている。貫通孔３５は、例えば円形で、上部ケース３０を下部ケース２０に対向させて装着したときに、下部封印取付部２３に対向するよう形成されている。
【００１９】
このような下部ケース２０と上部ケース３０は、封印具１００によって封印がなされるようになっている。封印具１００は、相手側封印部材の一例としての第一係合部材１１０と、封印部材の一例としての第二係合部材１２０とからなる。
【００２０】
図７、図８に示すように、第一係合部材１１０は、金属、樹脂等から形成され、長方形状のベース部１１１と、ベース部１１１の一方の表面１１１ａ側から直交する方向に延びる挿入片１１２と、挿入片１１２に形成された第一の係止部の一例としての係合孔１１３と、が一体に形成されている。
【００２１】
ベース部１１１は、下部封印取付部２３の筒状部２３ａの内周側開口寸法よりも小さな外形寸法で形成されている。
【００２２】
挿入片１１２は、ベース部１１１の表面１１１ａに平行な断面が長方形状で、下部封印取付部２３のスロット２５に挿入可能な外形寸法とされている。
【００２３】
係合孔１１３は、挿入片１１２において、ベース部１１１の表面１１１ａに直交する両側の側面１１３ａ，１１３ｂを貫通するよう形成されている。この係合孔１１３は、その断面形状が、ベース部１１１の表面１１１ａに沿った方向を長辺方向とし、表面１１１ａに直交する方向を短辺とする長方形状とされている。
【００２４】
第二係合部材１２０は、第一係合部材１１０よりも軟質な材料、例えば樹脂等から形成され、円板状のベース部１２１と、ベース部１２１の一方の表面１２１ａから直交する方向に延びる第二の係止部の一例としての係合片１２２と、ベース部１２１の他方の表面１２１ｂから直交する方向に延びる操作部の一例としての摘み部１２３と、が一体に形成されている。
【００２５】
ベース部１２１は、係合片１２２が形成された側が、上部封印取付部３３の貫通孔３５の内径よりもわずかに小さい外径を有した小径部１２１ｃとされ、摘み部１２３が形成された側が、小径部１２１ｃおよび貫通孔３５の内径よりも大きく、かつ円筒状部３３ａの内径よりも小さな外径を有した大径部１２１ｄとされている。これにより、小径部１２１ｃと大径部１２１ｄとの間に、周方向に連続する段部１２１ｆが形成されている。このベース部１２１は、小径部１２１ｃが上部封印取付部３３の貫通孔３５内に挿入され、大径部１２１ｄ（段部１２１ｆ）が上部封印取付部３３のプレート部３３ｂに上方から突き当たるようになっている。
【００２６】
係合片１２２は、ベース部１２１の表面１２１ａに直交する面内に位置するプレート状で、その一方の側に平面部１２２ａを有している。この平面部１２２ａは、ベース部１２１の表面１２１ａに沿った方向の幅が、第一係合部材１１０の挿入片１１２に形成された係合孔１１３の長辺方向の開口寸法よりも広くなるよう形成されている。
平面部１２２ａには、係合孔１１３に係合可能な係合爪１２４が一体に形成されている。係合爪１２４は、係合片１２２においてベース部１２１から離間した側の先端部１２２ｂからベース部１２１に接近する方向に向けて、平面部１２２ａからの突出寸法が漸次拡大するクサビ状の断面形状を有している。
【００２７】
このような係合片１２２は、ベース部１２１に対し、ベース部１２１の表面１２１ａに直交する方向に延び、ベース部１２１および係合片１２２よりも断面積が小さく、低強度に形成されたシャフト部１２５を介して連結されている。
【００２８】
摘み部１２３は、ベース部１２１の表面１２１ｂに直交して立ち上がるプレート状で、ベース部１２１の径方向に沿って設けられている。
【００２９】
上記したような封印具１００は、図４、図５に示すように、下部ケース２０と上部ケース３０とを重ね合わせてビス１１等で締結された状態で、第一係合部材１１０を下部ケース２０の下方から挿入し、第二係合部材１２０を上部ケース３０の上方から挿入し、収容空間１３内で第一係合部材１１０と第二係合部材１２０とを互いに係合させるようになっている。以下、これについて詳述する。
【００３０】
第一係合部材１１０は、下部ケース２０の下方から凹部２４に挿入される。そして、挿入片１１２を下部封印取付部２３のプレート部２３ｂのスロット２５に挿入し、ベース部１１１をプレート部２３ｂに突き当てる。この状態で、挿入片１１２は、下部ケース２０の底板２１の上面２１ａから上方に突出して、係合孔１１３が、底板２１の上面２１ａよりも上方に位置するようになっている。そして、長方形状のベース部１１１が長方形状の凹部２４内に挿入されることで、第一係合部材１１０は、凹部２４内でベース部１１１の表面１１１ａに沿った面内での回転が規制されるようになっている。
【００３１】
第二係合部材１２０は、上部ケース３０の上方から凹部３４に挿入される。そして、係合片１２２を上部封印取付部３３の貫通孔３５に挿入していき、ベース部１２１の外周部に形成された段部１２１ｆを貫通孔３５の周囲のプレート部３３ｂに突き当てる。この状態で、係合片１２２は貫通孔３５を通してプレート部３３ｂよりも下方に突出する。
上記の挿入動作の過程で、係合片１２２が、第一係合部材１１０の挿入片１１２に沿って、挿入方向にスライドしていく。そして、係合片１２２の係合爪１２４が挿入片１１２に干渉し、係合片１２２が弾性変形することによって、係合爪１２４が側面１１３ａを乗り越え、係合孔１１３に係合される。
なお、第二係合部材１２０を第一係合部材１１０に係合した状態で、摘み部１２３とベース部１２１は、基板ケース１０の外表面に露出している。
【００３２】
このようにして、下部ケース２０の下方から挿入した第一係合部材１１０と、上部ケース３０の上方から挿入した第二係合部材１２０とが、収容空間１３内で互いに係合するようになっている。
図８に示すように、これら第一係合部材１１０と第二係合部材１２０との係合を解除するには、第二係合部材１２０の摘み部１２３を指で掴み、凹部３４のプレート部３３ｂの表面に沿った面内でこれをひねる。すると、挿入片１１２と係合片１２２とは、面接触しているため、摘み部１２３をひねっても係合片１２２は回転せず、断面積の小さなシャフト部１２５に応力が集中し、シャフト部１２５がねじ切られるようになっている。摘み部１２３を摘み、上部ケース３０の天板３１に直交する方向に引っ張った場合も、係合爪１２４と係合孔１１３との係合は解除されず、シャフト部１２５が破断するようになっている。
【００３３】
上述したようにして、第一係合部材１１０と第二係合部材１２０とからなる封印具１００によれば、封印を解除すると、第二係合部材１２０のシャフト部１２５が破断されるようになっている。これにより、封印を解除したことを一目で認識することが可能となり、基板ケース１０内に収容した回路基板の不正改造等を容易に認識できるようになる。
しかも、回路基板のメンテナンスや、基板ケース１０をリサイクルする場合等に、封印を解除するときには、工具等を用いる必要もなく、第一係合部材１１０をひねれば良いだけなので、封印解除作業を容易に行うことができ、基板ケース１０に傷等がつくのも防止できる。しかも、封印を解除した後には、封印シールを用いた場合のように、その痕跡が基板ケース１０に残ることもない。
その結果、封印具１００は、封印としての機能を十分に果たしつつ、基板ケース１０の再利用を容易に行うことを可能とすることができる。
【００３４】
（その他の実施形態）
なお、本発明の物品収納容器、封印部材は、図面を参照して説明した上述の各実施形態に限定されるものではなく、その技術的範囲において様々な変形例が考えられる。
例えば、封印具１００を構成する第一係合部材１１０および第二係合部材１２０についても、同様の機能を果たすことができるのであれば、各部の形状や構造、材質を適宜変更しても構わない。
【００３５】
また、基板ケース１０の下部ケース２０、上部ケース３０に対して、第一係合部材１１０、第二係合部材１２０を装着するようにしたが、例えば、第一係合部材１１０を下部ケース２０に一体化することも可能である。すなわち、図９に示すように、下部ケース２０の底板２１に、上記係合孔１１３が形成された係合部材１４２を一体に形成しておくのである。このような構成においても、上部ケース３０側から第二係合部材１２０を係合孔１１３に係合させて封印を施すことで、上記実施形態と同様の作用効果を奏することができる。さらにこの場合、挿入片１１２を下部ケース２０に一体化しておくと、例えば、封印具１００を基板ケース１０から取り外して不正に持ち帰り、これらを複製しようとしても、挿入片１１２側を持ち帰ることができなくなるので、複製を行うことが困難となる。
【００３６】
また、基板ケース１０の形状や構造、封印具１００の装着位置等については、上記実施例で示したものは一例にすぎず、適宜変更することが可能である。例えば、基板ケース１０内に収容した回路基板を外部と電気的に接続するためのコネクタ等を適宜備えることもできる。
さらに、基板ケース１０に収容する回路基板の用途等についても、何ら限るものではない。例えば、内部に収容する物品は、回路基板に限らず、例えば、ユーザ側での開封を望まない物品であれば、いかなるものであってもよい。
これ以外にも、本発明の主旨を逸脱しない限り、上記実施の形態で挙げた構成を取捨選択したり、他の構成に適宜変更することが可能である。
【符号の説明】
【００３７】
１０  物品収納容器
１１  ビス
１３  収容空間
２０  第一の筺体
２３  下部封印取付部
２５  開口部
３０  第二の筺体
３３  上部封印取付部
３４  凹部
３５  貫通孔
１００  封印具
１１０  相手側封印部材
１１１  ベース部
１１２  挿入片
１１３  第一の係止部
１２０  封印部材
１２１  ベース部
１２２  第二の係止部
１２３  操作部
１２４  係合爪
１２５  連結部
１４２  係合片
【図１】
2014188312.tif 000003
【図２】
2014188312.tif 000004
【図３】
2014188312.tif 000005
【図４】
2014188312.tif 000006
【図５】
2014188312.tif 000007
【図６】
2014188312.tif 000008
【図７】
2014188312.tif 000009
【図８】
2014188312.tif 000010
【図９】
2014188312.tif 000011